(57)【要約】      （修正有）【課題】生産性にすぐれ、低コストで大量生産出来、しかもフィット性においても満足出来るノーズパッドを提供すること。【解決手段】弾性を有する合成樹脂を素材とし、ほぼ平行な長辺２と円弧状に弯曲した短辺３とからなる略小判形をなしたノーズパッド本体１の長辺２の対向した位置から、前記長辺２に接した基部２０、この基部２０と平行な前方辺７、及びその左右に位置した一対の側辺８を有する矩形をなした梁部材６を、ノーズパッド本体１の裏面５側に向かって一体的に形成すると共に、前記梁部材６の前方辺７の中央部から外側に向かって小さな角柱状をなしたボックス結合ブロック９を一体的に形成し、前記梁部材６の前方辺７同士及びボックス結合ブロック９の端面同士をそれぞれ突き合わせ、ノーズパッド本体１の裏面５側にアーチ側に弯曲した梁１を形成し、ボックス結合ブロック９をノーズパッド足１１に挿入枢支させる様にした。【選択図】図２
2008102184.tif 000002
【特許請求の範囲】
【請求項１】
弾性を有する合成樹脂を素材とし、ほぼ平行な長辺（２）（２）と円弧状に弯曲した短辺（３）（３）とからなる略小判形をなしたノーズパッド本体（１）の長辺（２）（２）の対向した位置から、前記長辺（２）に接した基部（２０）、この基部（２０）と平行な前方辺（７）、及びその左右に位置した一対の側辺（８）（８）を有する矩形をなした梁部材（６）（６）を、ノーズパッド本体（１）の裏面（５）側に向かって一体的に形成すると共に、前記梁部材（６）の前方辺（７）の中央部から外側に向かって小さな角柱状をなしたボックス結合ブロック（９）を一体的に形成し、前記梁部材（６）（６）の前方辺（７）（７）同士及びボックス結合ブロック（９）（９）の端面同士をそれぞれ突き合わせ、ノーズパッド本体（１）の裏面（５）側にアーチ側に弯曲した梁（１９）を形成し、ボックス結合ブロック（９）（９）をノーズパッド足（１１）に挿入枢支させる様にしたことを特徴とするフィット性及び量産性にすぐれたノーズパッド。
【請求項２】
一方のボックス結合ブロック（９）の裏面側の壁面（１４）に、円柱状の結合用突起（１５）を、他方のボックス結合ブロック（９）の壁面（１４）の対応する位置に、前記結合用突起（１５）を嵌め込む嵌入孔（１６）をそれぞれ形成したことを特徴とする請求項１記載のフィット性及び量産性にすぐれたノーズパッド。
【請求項３】
梁部材（６）の基部（２０）の肉厚が小さく形成されていることを特徴とする請求項１記載のフィット性及び量産性にすぐれたノーズパッド。
【発明の詳細な説明】
【技術分野】
【０００１】
この発明はフィット性及び量産性にすぐれたノーズパッド、詳しくは一体成形によって低コストで製作することができるフィット性にすぐれた量産向きのノーズパッドに関するものである。
【背景技術】
【０００２】
ノーズパッドはメガネ使用者の顔面に接するメガネの構成部品であり、メガネを正しい位置に保持する重要な働きを担っており、このノーズパッドが不適当なものであるときはメガネのずり落ち等が起こり、装着感を損ない、視力の矯正にも悪い影響を与えることになる。
【特許文献１】なし
【非特許文献１】なし
【発明の開示】
【発明が解決しようとする課題】
【０００３】
ノーズパッドがその機能を十分に発揮する為には、それ自体適度な柔軟性を持ち全方向に自由に揺動できるだけではなく、その厚さ方向にも弾性的に変位可能であるのが理想であるが、従来においてはこの要求に応えられるノーズパッドは極めて少なかった。これはノーズパッドが小さな部品であり、あまりコストがかけられないことも理由の一つであった。
【０００４】
又、小さな部材であるので部品数が増えればその組立も面倒となり、製造コストが飛躍的に高くなってしまう本質的な特徴を持っており、精密でフィット性にすぐれたノーズパッドを提供しようと努力しても製造原価低減の要求と常にぶつかってしまうジレンマを避けることはできなかった。
【０００５】
この発明は従来のノーズパッドに関する上記従来の問題点を解決することを目的とするものであり、適度な弾性を有し、厚さ方向にも変位可能でフィット性がきわめて高いにもかかわらず製造が容易で、低コストで大量生産することができる量産向きの新規なノーズパッドを提供せんとするものである。
【課題を解決するための手段】
【０００６】
弾性を有する合成樹脂を素材とし、ほぼ平行な長辺（２）（２）と円弧状に弯曲した短辺（３）（３）とからなる略小判形をなしたノーズパッド本体（１）の長辺（２）（２）の対向した位置から、前記長辺（２）に接した基部（２０）、この基部（２０）と平行な前方辺（７）、及びその左右に位置した一対の側辺（８）（８）を有する矩形をなした梁部材（６）（６）を、ノーズパッド本体（１）の裏面（５）側に向かって一体的に形成すると共に、前記梁部材（６）の前方辺（７）の中央部から外側に向かって小さな角柱状をなしたボックス結合ブロック（９）を一体的に形成し、前記梁部材（６）（６）の前方辺（７）（７）同士及びボックス結合ブロック（９）（９）の端面同士をそれぞれ突き合わせ、ノーズパッド本体（１）の裏面（５）側にアーチ側に弯曲した梁（１９）を形成し、ボックス結合ブロック（９）（９）をノーズパッド足（１１）に挿入枢支させる様にして上記課題を解決した。
【発明の効果】
【０００７】
単一部材からなり、わずか一回の成型作業によって製造することが出来、従来のノーズパッドに比べ、はるかに低コストで大量に生産することが可能である。又、厚さ方向及び全周方向に弾性的に変位自在であり、フィット性に極めてすぐれており、掛け心地も良く、メガネフレームを正常位置に効果的に保持させることが出来る。更に、全体が単一の部材で一体的に構成されており、別部材は全く存在していないので、使用中における部品の剥離や脱落が生じるおそれはなく、耐久性にもすぐれている。
【発明を実施するための最良の形態】
【０００８】
連続した一体的な部材を曲げたり突き合わせることにより、弾性を有する立体的なノーズパッドを構成する様にした点に最大の特徴を有する。
【実施例１】
【０００９】
図１はこの発明に係るノーズパッドの実施例１の組立て前の状態の斜視図、図２は同じく組立て後の状態の斜視図、図３は同じくノーズパッド足に装着した状態の斜視図である。
【００１０】
図中（１）は弾性を有する合成樹脂からなるノーズパッド本体であり、ほぼ平行な長辺（２）（２）と円弧状に弯曲した短辺（３）（３）とからなる略小判形をなしている。そして、長辺（２）の対向した位置からは一対の梁部材（６）（６）が裏面（５）側に向かって一体的に形成されている。この梁部材（６）は、ノーズパッド本体（１）の長辺（２）に接した基部（２０）、この基部（２０）と平行な前方辺（７）、及びその左右に位置した一対の側辺（８）（８）とからなる矩形をなしており、側辺（８）の長さＡは、ノーズパッド本体（１）の幅方向の長さＢの半分より若干大きくなる様に形成されている。又、基部（２０）はその肉厚が小さく形成されており、折り曲げやすくなっている。
【００１１】
更に、一対の梁部材（６）（６）の前方辺（７）の中央部からは、それぞれ外側に向かって小さな角柱状をなしたボックス結合ブロック（９）が一体的に形成されており、このボックス結合ブロック（９）の表面側の壁面（１０）の中央からはノーズパッド足（１１）の枢支孔（１２）に挿入される突起（１３）がそれぞれ一体的に形成されている。
【００１２】
又、一方のボックス結合ブロック（９）の裏面側の壁面（１４）には、円柱状の結合用突起（１５）が、もう一方のボックス結合ブロック（９）の壁面（１４）の対応する位置には、前記結合用突起（１５）を嵌入させる嵌入孔（１６）が形成されている。
【００１３】
この実施例は上記の通りの構成を有するものであり、一対の梁部材（６）（６）の前方辺（７）（７）同士及びボックス結合ブロック（９）（９）の壁面（１４）（１４）同士をそれぞれ突き合せ、結合用突起（１５）を嵌入孔（１６）に押し込み、図３に示す様にノーズパッド本体（１）の裏面（５）側にアーチ形に弯曲した梁（１９）を形成する。なお、梁部材（６）の側辺（８）の長さＡは、ノーズパッド本体（１）の幅方向の長さＢの半分より大きいので、その前方辺（７）（７）同士を突き合わせると、梁部材（６）（６）は自然にアーチ形に弯曲することになる。この状態において、ボックス結合ブロック（９）をノーズパッド足（１１）に挿入し、枢支用の突起（１３）を枢支孔（１２）に押し込めば、ノーズパッド足（１１）への取付けは完了する。
【００１４】
なお、ノーズパッド本体（１）は弾性を有する合成樹脂を素材としているので、一対の梁部材（６）（６）を突き合わせると、梁部材（６）がアーチ形に弯曲するだけではなく、本体（１）も若干反り返った状態となる。この様にして形成された梁（１９）は、弾性を有しているので、ノーズパッド足（１１）に取り付けられた状態において、厚さ方向への往復運動、全周方向への揺動運動が可能であり、外力に反応して自由にその取付角度と位置を変位させることが出来る。なお、上記実施例においては、ボックス結合ブロック（９）に枢支用の突起（１３）を形成し、これによってノーズパッド足（１１）に取り付ける様にしたが、図４に示す様に、突起（１３）の代わりに透孔（１７）を形成し、図５に示す様に、この透孔（１７）にネジ（１８）を挿通させることによって、ノーズパッド足（１１）に取り付ける様にしても良い。
【００１５】
以上述べた通り、この発明に係るノーズパッドは、わずか一回の成型作業によって製造することが出来、単一部材によって構成されているので、従来のノーズパッドに比べ、はるかに低コストで大量に生産することが可能である。又、このノーズパッドは、厚さ方向及び全周方向に弾性的に変位自在であり、フィット性に極めてすぐれており、掛け心地も良く、メガネフレームを正常位置に効果的に保持させることが出来る。更に、全体が一体的に構成されており、別部材は全く存在していないので、使用中における部品の剥離や脱落が生じるおそれはなく、耐久性もすぐれている。
【産業上の利用可能性】
【００１６】
視力矯正用メガネだけではなく、サングラス等においてももちろん利用可能である。
【図面の簡単な説明】
【００１７】
【図１】この発明に係るノーズパッドの実施例１の組立て前の状態の斜視図。
【図２】同じく、その組立て後の状態の斜視図。
【図３】同じく、ノーズパッド足に装着した状態の斜視図。
【図４】他の実施例の斜視図。
【図５】同じく、ノーズパッド足に装着した状態の斜視図。
【符号の説明】
【００１８】
１    ノーズパッド本体
２    長辺
３    短辺
４    表面
５    裏面
６    梁部材
７    前方辺
８    側辺
９    ボックス結合ブロック
１０    壁面
１１    ノーズパッド足
１２    枢支孔
１３    突起
１４    壁面
１５    結合用突起
１６    嵌入孔
１７    透孔
１８    ネジ
１９    梁
２０    基部
【図１】
2008102184.tif 000003
【図２】
2008102184.tif 000004
【図３】
2008102184.tif 000005
【図４】
2008102184.tif 000006
【図５】
2008102184.tif 000007